(57)【要約】【課題】小型化、高輝度かつ高精度の画質といった複数の要求に応えることが可能なアクティブマトリクス型の有機ＥＬ画像表示装置を提供する。【解決手段】  基板上に、マトリクス状に配列された複数の画素と、該各画素に沿ってそれぞれ交差して配設される複数の走査線および複数の信号線と、該信号線と並設される複数の給電線と、を備えており、前記各画素は、第１トランジスタと、保持容量と、第２トランジスタと、前記給電線から供給された電流によって発光する有機ＥＬ素子と、を備える画像表示装置において、前記複数の画素は、奇数種類の色の画素列が前記走査線の延設方向に順次配列されており、前記給電線は、前記奇数種類の色の画素列のうち、２色の画素列に共通して通電を行う共通給電線と、１色の画素列に通電を行う単独給電線と、を備えたことを特徴とする。【選択図】  図７
2010008654.tif 000002
【特許請求の範囲】
【請求項１】
基板上に、マトリクス状に配列された複数の画素と、該各画素に沿ってそれぞれ交差して配設される複数の走査線および複数の信号線と、該信号線と並設される複数の給電線と、を備えており、
前記各画素は、前記走査線からの走査信号が供給される第１トランジスタと、前記信号線から供給される画像信号を保持する保持容量と、該保持容量によって保持された前記画像信号が供給される第２トランジスタと、前記給電線から供給された電流によって発光する有機ＥＬ素子と、を備える画像表示装置において、
前記複数の画素は、奇数種類の色の画素列が前記走査線の延設方向に順次配列されており、
前記給電線は、前記奇数種類の色の画素列のうち、２色の画素列に共通して通電を行う共通給電線と、１色の画素列に通電を行う単独給電線と、を備えたことを特徴とする有機ＥＬ画像表示装置。
【請求項２】
前記信号線から供給される画像信号は、前記色種ごとに輝度の補正がなされていることを特徴とする請求項１に記載の有機ＥＬ画像表示装置。
【請求項３】
前記第２トランジスタは、前記奇数種類の色の画素列において、２色画素に跨って形成された共通第２トランジスタを備えていることを特徴とする請求項１又は請求項２に記載の有機ＥＬ画像表示装置。
【請求項４】
前記奇数種類の色の画素が、赤、緑、青の３色であることを特徴とする請求項１乃至請求項３のいずれかに記載の有機ＥＬ画像表示装置。
【請求項５】
前記輝度補正手段は、全画素を同時に補正することを特徴とする請求項１乃至４のいずれかに記載の有機ＥＬ画像表示装置。
【請求項６】
前記共通給電線を挟んで形成される２色の画素の回路配置は、前記共通給電線を中心に略線対称であることを特徴とする請求項１乃至４のいずれかに記載の有機ＥＬ画像表示装置。
【請求項７】
前記共通第２トランジスタは、前記共通給電線を中心に略線対称であることを特徴とする請求項３乃至６のいずれかに記載の有機ＥＬ画像表示装置。
【発明の詳細な説明】
【技術分野】
【０００１】
本発明は、パーソナルコンピュータや携帯電話等に用いられ、発光素子およびトランジスタを有するアクティブマトリクス型の画像表示装置に関する。
【背景技術】
【０００２】
従来、発光層に注入された正孔と電子とが再結合することによって光を発する電流制御型の有機ＥＬ（Electroluminescence）素子を用いた有機ＥＬ画像表示装置が提案されている。
【０００３】
この有機ＥＬ画像表示装置は、基板上に形成されたアモルファスシリコンや多結晶シリコン等で形成された薄膜トランジスタ（Thin Film Transistor：以下、ＴＦＴと略す）や上述の有機ＥＬ素子等が各画素を構成しており、各画素に適切な電流値が設定されることより、輝度が制御されている。
【０００４】
具体的には、基板上に、マトリクス状に配置された複数の画素と、各画素に走査信号を供給する走査線と、走査線と交差するように配され輝度に対するデータ信号を各画素に配給する信号線と、各画素に通電を行う給電線とを備えている。
【０００５】
次に、従来の各画素における回路を図９を参照して説明する。この画素回路は、有機発光素子ＯＬＥＤ、駆動トランジスタＴｄ、閾値電圧検出トランジスタＴｔｈ、保持容量Ｃｓを備えている。走査線２０は閾値検出トランジスタＴｔｈのゲートと接続され、信号線３０は保持容量Ｃｓと接続され、有機発光ダイオードＯＬＥＤのアノード側は給電線４０が接続され、カソード側は駆動トランジスタＴｄのドレインおよび閾値電圧検出トランジスタＴｔｈのドレインがそれぞれ接続されている。そして、駆動トランジスタのゲートに印加される電流量に基づき、有機ＥＬ素子（有機ＥＬ発光ダイオード）ＯＬＥＤに電流が流れ発光する（例えば、特許文献１参照）。
【０００６】
当該有機ＥＬ画像表示装置においては、小型化、高輝度かつ高精度の画質といった複数の性能が求められている。これに応えるために、マトリクス状に配列された各画素のうち、隣り合う２つの画素の一方の回路配置を給電線と直交する方向において順に反転させて、給電線を中心にそれぞれ対称に配置し、隣り合う２つの画素列を１つの給電線で通電する技術が開示されている。これにより、１列の画素群ごとに給電線を形成する場合と比較して、給電線の形成領域を狭めることができるため、画素回路の高機能化が可能となる。また、ボトムエミッションタイプの場合、画素の発光領域を拡張することができ、輝度の向上を図ることができる（例えば、特許文献２参照）。
【特許文献１】特開２００４−２５２１１０号公報
【特許文献２】特開平１１−２４６０６号公報
【発明の開示】
【発明が解決しようとする課題】
【０００７】
しかし、上記有機ＥＬ画像表示装置においては次のような問題があった。例えば、画素が赤、緑、青の３色からなるような奇数の色種を備えており、これらを給電線４０と直交する方向に順次配列したものに上述の技術を用いた場合、赤、青、緑の画素が順次反転される。
【０００８】
そして、駆動トランジスタＴｄや閾値電圧検出トランジスタＴｔｈの薄膜トランジスタはフォトリソグラフィ法によって形成されるが、当該薄膜トランジスタ形成時においてフォトマスクの位置ズレが発生すると、通常の画素と反転した画素では特性が異なったものが形成されてしまう。その結果、例えば、奇数番目の通常の画素が明るくなり、偶数番目の画素が暗くなったりする。ここで、絵素内における３画素は赤、緑、青と並んでいるため、通常の画素回路配置を（通常）、反転させた画素回路配置を（反転）として、給電線と直交する方向に配列される画素を順に示すと、１絵素目[赤（通常）、緑（反転）、青（通常）]、２絵素目[赤（反転）、緑（通常）、青（反転）]…となる。
【０００９】
上記において赤の単色表示を行うと、奇数番目の絵素は明るくなり、偶数番目の絵素は暗くなるため、絵素１列おきに縦縞が視認されてしまう。また、白表示を行うと奇数番目の絵素は赤画素と青画素が明るくなり、緑画素が暗いためマゼンダのような色になり、偶数番目の絵素は緑画素が明るくなり、赤画素および青画素が暗くなるため緑色が強くなる。その結果、絵素１列おきにマゼンダと緑が交互に表示されることとなり、画質が低下してしまう。
【００１０】
そこで、本発明は上記問題点に鑑み、画質の低下を抑制することができるアクティブマトリクス型の有機ＥＬ画像表示装置を提供する。
【課題を解決するための手段】
【００１１】
本発明にかかる有機ＥＬ画像表示装置は、基板上に、マトリクス状に配列された複数の画素と、該各画素に沿ってそれぞれ交差して配設される複数の走査線および複数の信号線と、該信号線と並設される複数の給電線と、を備えており、前記各画素は、前記走査線からの走査信号が供給される第１トランジスタと、前記信号線から供給される画像信号を保持する保持容量と、該保持容量によって保持された前記画像信号が供給される第２トランジスタと、前記給電線から供給された電流によって発光する有機ＥＬ素子と、を備える画像表示装置において、前記複数の画素は、奇数種類の色の画素列が前記走査線の延設方向に順次配列されており、前記給電線は、前記奇数種類の色の画素列のうち、２色の画素列に共通して通電を行う共通給電線と、１色の画素列に通電を行う単独給電線と、を備えたことを特徴とする。
【００１２】
また、上記発明において、前記信号線から供給される画像信号は、前記色種ごとに輝度の補正がなされていることが好ましい。
【００１３】
また、上記発明において、前記第２トランジスタは、前記奇数種類の色の画素列において、２色画素に跨って形成された共通第２トランジスタを備えていることが好ましい。
【００１４】
また、上記発明において、記奇数種類の色の画素が、赤、緑、青の３色であることが好ましい。
【００１５】
また、上記発明において、前記輝度補正手段は、全画素を同時に補正することが好ましい。
【００１６】
また、上記発明において、前記共通給電線を挟んで形成される２色の画素の回路配置は、前記共通給電線を中心に略線対称であることが好ましい。
【００１７】
さらに、上記発明において、前記共通第２トランジスタは、前記共通給電線を中心に略線対称であることが好ましい。
【発明の効果】
【００１８】
本発明によれば、奇数種類の色の画素列が順次配置されている場合に、トランジスタの特性に起因する輝度の変化も画素の色種ごととなる。そのため絵素単位での見え方が均一化されるため、画質の劣化を抑制することができる。また各色種で補正ができるため、輝度の補正が容易に行うことが可能となる。
【発明を実施するための最良の形態】
【００１９】
以下に本発明の一実施形態にかかる有機ＥＬ表示装置を図面に基づいて詳細に説明する。なお、本発明は以下の記述に限定されるものではなく、本発明の要旨を逸脱しない範囲において適宜変更可能である。また、図面は本発明の理解を容易にするための概略図であり、実際の寸法および縮尺とは異なる場合がある。
【００２０】
また、本明細書における「ゲート電圧」とは、トランジスタに関し、ソースの電位を基準としたソースとゲートとの電位差をいう。また、本明細書における「トランジスタの閾値電圧」とは、トランジスタがオフ状態（いわゆるドレイン電流が流れない状態）からオン状態（ドレイン電流が流れる状態）に移り変わるときの境界となるゲート電圧をいう。
【００２１】
[第１実施形態]
＜画像表示装置の概略構成＞
図１は、本発明の実施形態に係る有機ＥＬ画像表示装置１２０を用いた携帯電子機器１００の概略構成を示す図である。
【００２２】
携帯電子機器１００は、本体部１１０と有機ＥＬ画像表示装置１２０とを備えており、特に限定はないが、当該実施形態では携帯電話を例示して説明する。有機ＥＬ画像表示装置１２０には、動画や静止画等の各種画像が表示される。
【００２３】
本体部１１０は、通信機能、バッテリー等の給電機能および操作部等を備えている。
【００２４】
有機ＥＬ画像表示装置１２０は、例えば、複数の有機ＥＬ素子を備える略長方形の外形を有する表示部および本体部１１０より供給される各種信号が入力されるドライバ手段を備えている。なお、有機ＥＬ素子は、有機材料に電流を流すことで自らが発光する自発光型の発光素子をいう。
【００２５】
また、有機ＥＬ画像表示装置１２０は、信号線３０と、走査線２０とを備えている。信号線３０は、発光輝度に対応する画像信号（例えば、画素ごとでは、画素データ信号）に応じた電位を各画素に供給する。また、走査線２０は、画像信号線に対して略直行するように設けられ、各画素に走査信号を供給する。なお、走査信号は、信号線を介して画素データ信号に応じた電荷を各画素に蓄積されるタイミングを制御する信号である。
【００２６】
そして、ドライバ手段は、Ｘドライバ（画像信号線駆動回路）Ｘｄと、ＹドライバＹｄと、を備えている。ＸドライバＸｄは信号線３０に対して電気的に接続され、画像データ信号に応じた電位を信号線に供給するタイミングを制御する。また、ＹドライバＹｄは、走査線２０に対して電気的に接続され、走査信号を走査線２０に供給するタイミングを制御する。
【００２７】
＜有機ＥＬ画像表示装置の構成＞
図２は、第１実施形態に有機ＥＬ画像表示装置１２０の機能構成を例示する概略図である。有機ＥＬ画像表示装置１２０は、制御部７０、ＸドライバＸｄ、ＹドライバＹｄ、表示部１０および電源部５０を備えている。
【００２８】
制御部７０は、有機ＥＬ画像表示装置１２０の動作を統括制御する。この制御部７０は、ＣＰＵ、ＲＡＭおよびＲＯＭ等を備えており、例えばＲＯＭ等に格納されたプログラムをＣＰＵが読み込んで実行することで、各種動作や制御を実現する。なお、制御部７０はＸドライバＸｄおよびＹドライバＹｄからの信号の送出を制御する機能も有している。
【００２９】
表示部１０は、複数の画素８０がマトリクス状に配列されたアクティブマトリクス型を有している。なお画素８０は奇数種類の発光色、具体的には、赤、緑、青の３色を有しており、当該３つの画素８０が１つの絵素９０を構成している。
【００３０】
図２における左上の画素に、各画素における画素回路の一例を示す。なお、他の画素も同様の画素回路を有しているが、図面では省略している。当該画素回路は、有機ＥＬ素子ＯＬＥＤと、第１トランジスタＴｔｈと、第２トランジスタＴｄと、保持容量Ｃｓと、を備えている。
【００３１】
有機ＥＬ素子ＯＬＥＤは、有機材料などから構成された発光層を有し、該発光層に流れる電流量によって輝度が変化する発光素子である。この有機ＥＬ素子ＯＬＥＤは、アノード電極とカソード電極を有している。そして、アノード電極は有機ＥＬ素子の発光時に相対的に高い電圧を付与する電源に電気的に接続される。一方、カソード電極は有機ＥＬ素子の発光時にアノード電極に付与される電圧よりも低い電圧を付与する電源に接続される。なお、本実施形態においては、アノード電極が給電線４０を介して電源部５０と電気的に接続されており、カソード電極が第２トランジスタ（駆動トランジスタ）のソース−ドレインを介して電源線４５と電気的に接続されている。なお、電源線４５はグランドに置き換えることも可能である。
【００３２】
第１トランジスタＴｔｈと第２トランジスタＴｄは、キャリアが電子であるタイプ（ｎ型）のＭＩＳ（Metal Insulator Semiconductor）構造を採用した電界効果トランジスタ（FET : Field Effect Transistor）の一種である薄膜トランジスタ（TFT : Thin Film Transistor）、すなわち、ｎ−ＭＩＳＦＥＴＴＥＴによって構成されている。
【００３３】
第１トランジスタ（閾値電圧検出トランジスタ）Ｔｔｈは、ゲートが走査線２０と電気的に接続されている。また、ソース又はドレインとなる一方の端子が保持容量Ｃｓと電気的にされ、他方の端子が有機ＥＬ素子ＯＬＥＤのカソード電極と、第２トランジスタのソース又はドレインの一方の端子と電気的に接続される。
【００３４】
また、第１トランジスタＴｔｈは、走査線２０からゲートに付与される電位、具体的にはゲート−ソース間に印加される電圧値が調整されることで、ソース−ドレイン間に流れる電流の量が調整される。またゲートに付与される電位によりソース−ドレイン間において電流が流れ得る状態（通電状態）と、電流が流れ得ない状態（非通電状態）とに選択的に設定される。
【００３５】
第２トランジスタ（駆動トランジスタ）Ｔｄは、ゲートが保有容量Ｃｓを介して信号線３０に接続されている。また、ソース又はドレインとなる一方の端子が有機ＥＬ素子ＯＬＥＤを介して給電線４０と接続されており、他方の端子が電源線４５と電気的に接続されている。有機ＥＬ素子ＯＬＥＤが発光する際、すなわち有機ＥＬ素子ＯＬＥＤに順方向電流が流れる際には、一方の端子がドレインとして、他方の端子がソースとしてそれぞれ機能する。
【００３６】
また、第２トランジスタＴｄは、ゲートに付与される電位、より詳細にはゲート−ソースの間に印加される電圧値が調整されることで、ソース−ドレイン間において流れる電流が調整される。そして、当該ゲート−ソース間において流れる電流量の調整に伴い、有機ＥＬ素子ＯＬＥＤに流れる電流量が制御される。また、ゲートに付与される電位により、ソース−ドレイン間において電流が流れ得る状態（導通状態）と、電流が流れ得ない状態（非導通状態）とに選択的に設定される。
【００３７】
また、第２トランジスタＴｄには、導通状態となる場合のゲート電圧（具体的には、第２トランジスタＴｄの導電状態におけるソースの電位を基準としたゲート−ソース間の電位差）Ｖｇｓの下限値（第２トランジスタの閾値電圧）Ｖｔｈが存在する。
【００３８】
ここで、有機ＥＬ素子ＯＬＥＤは、電流値によって発光輝度が制御されているため、発光時における第１トランジスタＴｄはゲート電圧Ｖｇｓの揺らぎに対して、発光輝度が敏感に変動する。特に、第２トランジスタＴｄがアモルファスシリコンを用いて構成されている場合には、第２トランジスタＴｄごとに閾値電圧Ｖｔｈが異なる傾向にある。よって、画素ごとに異なる閾値電圧Ｖｔｈを補償する機能（Ｖｔｈ補償機能）を持たせないと、所定の発光輝度と実際の発光輝度との間に若干の乖離が生じ、結果として画素間での発光輝度のムラが生じてしまう。
【００３９】
そこで、有機ＥＬ画像表示装置１２０においては、発光前に各画素において第２トランジスタＴｄのゲート電圧Ｖｇｓを閾値電圧Ｖｔｈに応じた値とすることで、第２トランジスタＴｄにおける閾値電圧Ｖｔｈのバラツキを補償する処理（Ｖｔｈ補償処理）を実現するために、第１トランジスタＴｔｈが設けられている。具体的には、まず補助容量Ｃｓを充電し、次に第１トランジスタＴｔｈをオンにして第２トランジスタＴｄのソースとドレインを接続する。これにより補助容量ＣｓからＴｄを通って放電させ、Ｔｄのゲート電位が閾値電圧Ｖｔｈになるまで低下させ、こうして検出したＶｔｈに画像信号電圧を加えることで、第２トランジスタＴｄの閾値電圧Ｖｔｈを補償する。
【００４０】
保持容量Ｃｓは、一方の電極が信号線３０と電気的に接続されており、他方の電極が第
１トランジスタＴｔｈのソースまたはドレインのいずれか一方および第２トランジスタＴｄのゲートと電気的に接続されている。
【００４１】
ＸドライバＸｄは、制御部７０からの信号に応答して、信号線３０に対して画像信号に応じた電位を供給する。なお、制御部７０は例えば外部から送信されてくる画像データに同期させて、ＸドライバＸｄから各信号線３０に対する画像信号に応じた電位の供給タイミングを制御する信号をＸドライバＸｄに対して送出する。また、有機ＥＬ素子ＯＬＥＤを発光させるための電位の調整段階では、ＸドライバＸｄは、制御部７０からの信号に応答して、信号線３０に対して所定の基準電位と所定の高電位を選択的に付与する。
【００４２】
ＹドライバＹｄは、制御部７０からの制御信号に応じた波形で、走査線２０に対して走査信号に対応する電位を付与する。
【００４３】
また、制御部７０は画素８０の色ごとに輝度の補正を行う輝度補正手段を備えている。具体的には、製造時あるいは駆動中に各色の画素８０に対応する有機ＥＬ素子に流れる電流値または輝度を測定し、制御部７０において各画素の色種ごとにγ補正を行い、当該補正を行った画像信号を、ＸドライバＸｄを経由して各信号線３０に供給し、輝度を補正する。
【００４４】
＜画素の具体的構成＞
図３および４は参考例にかかる有機ＥＬ画像表示装置における画素回路のレイアウトを示す拡大平面図である。画素回路は、基板上に走査線２０、信号線３０、給電線４０、電源線４５、第１トランジスタＴｔｈ、第２トランジスタＴｄ、保持容量Ｃｓがそれぞれ配置されている。当該画素回路上には、有機材料からなる平坦化膜（図示せず）が形成されており、平坦化膜上には、アノード電極とカソード電極に挟まれた発光層（図示せず）が形成されている。なお、同一のハッチングが付されているものは、同じものを示しており符号を省略している。
【００４５】
信号線３０は、図３の上下方向に延設されている。当該信号線３０の幅が広く形成されている箇所は保持容量Ｃｓとして機能する。走査線２０は、図３の左右方向（すなわち、信号線３０と交差する方向）に延設されている。      給電線４０は、信号線３０と同じく図３の上下方向に延設され、信号線３０と並んで設置されている。信号線３０、走査線２０、給電線４０は、各画素に沿って複数本配列されている。そして、１つの画素は、信号線３０、走査線２０、給電線４０からの信号および電圧が付与されている。
【００４６】
各画素の走査線２０上には、第１トランジスタＴｔｈがそれぞれ形成されている。当該第１トランジスタＴｔｈは、一端が平坦化膜に設けられた穴構造を有するコンタクト部６０から発光層と電気的に接続されている。また、他端は下側に形成された電極と電気的に接続されている。
【００４７】
給電線４０上には、第２トランジスタＴｄがそれぞれ形成されている。なお給電線４０と有機ＥＬ素子ＯＬＥＤの電極とを接続するコンタクトホール部分では、給電線４０の幅が広く形成されている
図３に記載のレイアウトにおいては、各画素８０にそれぞれ第２のトランジスタがおよび給電線４０を設ける必要があるため、画素回路配置や高機能化を図ることが困難であった。
【００４８】
そこで、図４に示すような画素回路のレイアウトを行うことが考えられる。当該レイアウトは、走査線２０の配列方向に沿って配列された各画素において、1つおきに画素８０の回路配置を反転させている。すなわち、奇数列の画素回路は通常の配置となっており、偶数列の画素の回路配置は給電線４０を基準に略線対称（反転配置）となっている。
【００４９】
そして、当該レイアウトに伴い隣り合う２列の画素群ごとに1本の給電線４０で駆動することが可能となる。そのため、１列の画素群ごとに１本の給電線４０を形成する場合と比較して基板上における給電線４０の形成領域を狭くすることができる。そのため、空いたスペースに別の回路部材の配置が可能になり、またレイアウトの自由度が向上する。さらに、ボトムエミッションタイプにおいては、有機ＥＬ素子ＯＬＥＤの発行領域を拡張することができため、図３に記載のレイアウトと比較して輝度の向上を図ることができる。
【００５０】
しかし、図４に記載のレイアウトでは、次のような問題がある。第１トランジスタＴｔｈや第２トランジスタＴｄの薄膜トランジスタはフォトリソグラフィ法によって形成されるが、当該薄膜トランジスタ形成時においてフォトマスクの位置ズレが発生すると、通常の画素回路と反転した画素回路では特性が異なったものが形成されてしまう。
【００５１】
上述のように画素回路の特性が異なってしまった場合において、画素８０が奇数種類の色の画素を有しており、当該奇数種類の色の画素８０から１つの絵素９０を構成するものにおいては、奇数番目の通常の画素８０が明るくなり、偶数番目の画素回路が反転された画素８０が暗くなるといった不具合が発生することがある。図５に、その一例を示す。図５は、赤、緑、青の３種類の色の画素８０を有しており、当該３色の画素８０から１つの絵素を構成している。ここで、奇数の画素８０が通常の配置であり、偶数の画素回路が反転された配置であった場合に、奇数の画素８０が明るく、偶数の画素８０が暗くなったとする（暗くなる画素を点線括弧で囲われたＡとして示す）。
【００５２】
すると、走査線２０が延設された方向に配列される画素８０を順に示すと、１絵素目[赤色Ｒ（通常）、緑色Ｇ（反転）、青色Ｂ（通常）]、２絵素目[赤色Ｒ（反転）、緑色Ｇ（通常）、青色Ｂ（反転）]…となる。この場合において赤の単色表示を行うと、図６に示すように、奇数番目の絵素は明るくなり、偶数番目の絵素９０は暗くなるため、絵素９０が１列おきに縦縞が視認されてしまう（暗くなる列の絵素９０を点線括弧で囲われたＢとして示す）。また、白表示を行うと奇数番目の絵素９０は赤画素と青画素が明るくなり、緑画素が暗いためマゼンダのような色になり、偶数番目の絵素９０は緑画素が明るくなり、赤画素および青画素が暗くなるため緑色が強くなる。その結果、絵素１列おきにマゼンダと緑が交互に表示されることとなり、画質が低下してしまう。
【００５３】
このような画質の低下を防ぐには、制御部７０におけるγ補正等により各画素の輝度を修正することが考えられる。しかし、明るさが異なる画素８０が、複数の色に及んでいるため、γ補正の改善は困難となる。
【００５４】
そこで、本実施形態では、図６に示すような画素回路のレイアウトを用いている。なおレイアウト上、図３と共通する部分については説明を省略する。当該レイアウトにおいては、奇数種類の色の画素８０が走査線２０の延設方向に順次配列されている。また奇数種類の色の画素のうち、２色の画素に共通して給電を行う共通給電線４２と、１色の画素に給電を行う単独給電線４１とを備えている。具体的には、走査線２０の延設方向に沿って１種類の色の画素回路を、共通給電線４２を基準に略線対称に反転させることにより、１絵素目[赤色Ｒ（通常）、緑色Ｇ（通常）、青色Ｂ（反転）]、２絵素目[赤色Ｒ（通常）、緑色Ｇ（通常）、青色Ｂ（反転）]…といった配置に形成している。
【００５５】
そのため、本実施形態においては、通常の画素８０と画素回路を反転させた画素８０が色種ごとに分けることができる。従って、図７に示すように通常の画素８０および画素回路が反転された画素８０のうち、一方の色種の画素８０が明るくなり、他方の色種の画素８０が暗くなったとしても（図８においては、点線括弧で囲ったＣ）、絵素ごとの画質を低下させるおそれが低減される。また、絵素列同士で比較した場合であっても、同様の見え方になるため、縦縞が見えるため画質が低下するといった問題を低減することができる。
【００５６】
また、輝度の変化が、画素の色種ごとであるため、制御部７０において色種ごとにγ補正を行うことにより、さらなる画質向上を容易に行うことができる。すなわち、本実施形態においては、小型化を実現しつつ、画素の反転による輝度向上の効果を得つつ、画質の向上を図ることが可能となる。また、当該構成においては、輝度補正手段により全画素を同時に補正することが可能であり、補正時間を短縮することができる。また、補正が単純化できることから、輝度補正手段の構成を容易することができるため好ましい。
【００５７】
さらに、本実施形態においては、図６に示すように、共通給電線４２においては隣り合う２つの画素、すわなち、通常の画素８０と反転された画素８０とに跨って形成される共通第２トランジスタＴｄ２を備えている。これにより、基板上のスペースを有効に活用することでき、有機ＥＬ素子ＯＬＥＤの更なる開口領域（発光領域）の拡張が可能になる。
【００５８】
また、上記共通第２トランジスタＴｄ２が、共通給電線４２を中心に略線対称であることが好ましい。これにより、薄膜トランジスタ形成時においてフォトマスクの位置ズレに起因する特性の変化が、通常の画素８０と、反転させた画素８０とで明確になり易く、制御部７０における輝度補正が容易となる。
【産業上の利用可能性】
【００５９】
本発明にかかる有機ＥＬ画像表示装置は、例えば携帯電話やパーソナルコンピュータ等の携帯情報端末の表示部として用いることができる。本発明を用いることにおり、小型化を実現しつつ、画素回路の反転による輝度向上の効果を得つつ、画質の向上させることができる。
【図面の簡単な説明】
【００６０】
【図１】本発明の一実施形態にかかる有機ＥＬ画像表示装置を用いた電子携帯機器の概略図である。
【図２】本発明の一実施形態にかかる有機ＥＬ画像表示装置の機能構成を例示する概略図である。
【図３】参考例にかかる有機ＥＬ画像表示装置における画素部分のレイアウトを示す拡大平面図である。
【図４】参考例にかかる有機ＥＬ画像表示装置における画素部分のレイアウトを示す拡大平面図である。
【図５】参考例における絵素３つを拡大した概略図である。
【図６】参考例における画素が配列された状態を示す概略図である。
【図７】本発明の一実施形態にかかる有機ＥＬ画像表示装置の画素部分のレイアウトを示す拡大平面図である。
【図８】本発明の一実施形態にかかる有機ＥＬ画像表示装置の絵素３つを拡大した概略図である。
【図９】従来の有機ＥＬ画像表示装置の画素回路を示す概略図である。
【符号の説明】
【００６１】
１００：携帯電子機器
１１０：本体部
１２０：有機ＥＬ画像表示装置
Ｘｄ：Ｘドライバ
Ｙｄ：Ｙドライバ
ＯＬＥＤ：有機ＥＬ素子  
Ｔｔｈ：第１トランジスタ（閾値電圧検出トランジスタ）
Ｔｄ：第２トランジスタ（駆動トランジスタ）
Ｔｄ２：共通第２トランジスタ
Ｃｓ：保持容量
１０：表示部
２０：走査線
３０：信号線
４０：給電線
４１：単独給電線
４２：共通給電線
４５：電源線
５０：電源部
７０：制御部
８０：画素
９０：絵素
【図１】
2010008654.tif 000003
【図２】
2010008654.tif 000004
【図３】
2010008654.tif 000005
【図４】
2010008654.tif 000006
【図５】
2010008654.tif 000007
【図６】
2010008654.tif 000008
【図７】
2010008654.tif 000009
【図８】
2010008654.tif 000010
【図９】
2010008654.tif 000011